【手続補正書】
【提出日】令和3年4月8日(2021.4.8)
【手続補正１】
【補正対象書類名】特許請求の範囲
【補正対象項目名】全文
【補正方法】変更
【補正の内容】
【特許請求の範囲】
【請求項１】
外部装置との間で無線通信を行い、前記外部装置の操作の対象装置として機能する電子機器であって、
無線通信するための第１の通信手段と、
前記第１の通信手段と比較して通信速度が遅く、且つ、前記第１の通信手段よりも通信接続を確立するまで要する時間が短い第２の通信手段と、
前記第１、第２の通信手段を介して受信した要求に応じた処理を行う処理手段と、
前記第１、第２の通信手段を介した通信を制御する制御手段とを有し、
前記制御手段は、前記第２の通信手段を介しての通信接続が確立した外部装置から所定の要求を受信した場合、前記第１の通信手段による前記外部装置との接続処理を開始し、
前記処理手段は、前記第１の通信手段による通信接続が確立するまでの間は、前記第２の通信手段を介して受信した要求に応じた処理を実行し、前記第１の通信手段による通信接続が確立した後は当該第１の通信手段を介して受信した要求に応じた処理を実行する
ことを特徴とする電子機器。
【請求項２】
撮像手段を更に有し、
前記処理手段は、
前記第２の通信手段による通信接続が確立し、前記第１の通信手段による通信接続が確立するまでの間では、前記撮像手段に対する撮像、ズーム倍率の設定、感度の設定の要求については処理し、画像の送信の要求については非処理とし、
前記第２の通信手段による通信接続が確立した後は、全要求に対して処理を行う
ことを特徴とする請求項１に記載の電子機器。
【請求項３】
前記所定の要求は、ユーザが操作するＧＵＩのための設定情報の要求であることを特徴とする請求項１又は２に記載の電子機器。
【請求項４】
前記所定の要求は、画像の取得要求であることを特徴とする請求項２に記載の電子機器。
【請求項５】
前記画像の取得要求は、撮像して記録された画像または画像のサムネイルの要求、撮像中のライブビューの要求であることを特徴とする請求項４に記載の電子機器。
【請求項６】
撮像装置との間で無線通信を行い、前記撮像装置に対して無線による制御装置として機能する電子機器であって、
表示手段と、
無線通信するための第１の通信手段と、
前記第１の通信手段と比較して通信速度が遅く、且つ、前記第１の通信手段よりも通信接続を確立するまで要する時間が短い第２の通信手段と、
前記第１、第２の通信手段を介した通信、及び、前記表示手段を制御する制御手段とを有し、
前記制御手段は、
前記第２の通信手段により前記撮像装置との通信接続を確立した場合、前記撮像装置から前記撮像装置を制御するための設定情報を取得し、
取得した設定情報に基づいて前記撮像装置を制御するためのＧＵＩを前記表示手段に表示することで、前記撮像装置に対する制御装置として遷移し、
前記制御手段は、更に、
前記第２の通信手段を介して予め設定された情報を受信した場合に、前記第１の通信手段による接続処理を開始し、
前記第１の通信手段による通信接続が確立するまでの間は、前記表示手段に表示されたＧＵＩに対するユーザからの指示を前記第２の通信手段を介して送信し、
前記第１の通信手段による通信接続が確立した後は、前記表示手段に表示されたＧＵＩに対するユーザからの指示を前記第２の通信手段を介して送信するように制御する
ことを特徴とする電子機器。
【請求項７】
前記予め設定された情報は、前記撮像装置が有する撮像に関する設定情報であることを特徴とする請求項６に記載の電子機器。
【請求項８】
前記予め設定された情報は、前記撮像装置に送信した画像の要求に対する応答の情報であることを特徴とする請求項６に記載の電子機器。
【請求項９】
前記第１の通信手段は無線ＬＡＮに従った通信であり、
前記第２の通信手段はＢｌｕｅｔｏｏｔｈ（登録商標）、又は、Ｂｌｕｅｔｏｏｔｈ（登録商標）  Ｌｏｗ  Ｅｎｅｒｇｙに従った通信である
ことを特徴とする請求項１乃至８のいずれか１項に記載の電子機器。
【請求項１０】
無線通信するための第１の通信手段と、前記第１の通信手段と比較して通信速度が遅く、且つ、前記第１の通信手段よりも通信接続を確立するまで要する時間が短い第２の通信手段とを有し、外部装置との間で無線通信を行い、前記外部装置の操作の対象装置として機能する電子機器の制御方法であって、
前記第１、第２の通信手段を介して受信した要求に応じた処理を行う処理工程と、
前記第１、第２の通信手段を介した通信を制御する制御工程とを有し、
前記制御工程では、前記第２の通信手段を介しての通信接続が確立した外部装置から所定の要求を受信した場合、前記第１の通信手段による前記外部装置との接続処理を開始し、
前記処理工程では、前記第１の通信手段による通信接続が確立するまでの間は、前記第２の通信手段を介して受信した要求に応じた処理を実行し、前記第１の通信手段による通信接続が確立した後は当該第１の通信手段を介して受信した要求に応じた処理を実行する
ことを特徴とする電子機器の制御方法。
【請求項１１】
表示手段と、無線通信するための第１の通信手段と、前記第１の通信手段と比較して通信速度が遅く、且つ、前記第１の通信手段よりも通信接続を確立するまで要する時間が短い第２の通信手段とを有し、撮像装置との間で無線通信を行い、前記撮像装置に対して無線による制御装置として機能する電子機器の制御方法であって、
前記第１、第２の通信手段を介した通信、及び、前記表示手段を制御する制御工程とを有し、
前記制御工程では、
前記第２の通信手段により前記撮像装置との通信接続を確立した場合、前記撮像装置から前記撮像装置を制御するための設定情報を取得し、
取得した設定情報に基づいて前記撮像装置を制御するためのＧＵＩを前記表示手段に表示することで、前記撮像装置に対する制御装置として遷移し、
前記制御工程では、更に、
前記第２の通信手段を介して予め設定された情報を受信した場合に、前記第１の通信手段による接続処理を開始し、
前記第１の通信手段による通信接続が確立するまでの間は、前記表示手段に表示されたＧＵＩに対するユーザからの指示を前記第２の通信手段を介して送信し、
前記第１の通信手段による通信接続が確立した後は、前記表示手段に表示されたＧＵＩに対するユーザからの指示を前記第２の通信手段を介して送信するように制御する
ことを特徴とする電子機器の制御方法。
【請求項１２】
表示手段と、無線通信するための第１の通信手段と、前記第１の通信手段と比較して通信速度が遅く、且つ、前記第１の通信手段よりも通信接続を確立するまで要する時間が短い第２の通信手段とを有するコンピュータを、撮像装置との間で無線通信を行い、前記撮像装置に対して無線による制御装置として機能させるためのプログラムであって、
前記コンピュータに、
前記第１、第２の通信手段を介した通信、及び、前記表示手段を制御する制御手段として機能させるプログラムであって、
前記制御手段は、前記コンピュータに、
前記第２の通信手段により前記撮像装置との通信接続を確立した場合、前記撮像装置から前記撮像装置を制御するための設定情報を取得させ、
取得した設定情報に基づいて前記撮像装置を制御するためのＧＵＩを前記表示手段に表示することで、前記撮像装置に対する制御装置として遷移させ、
前記制御手段は、更に、
前記第２の通信手段を介して予め設定された情報を受信した場合に、前記第１の通信手段による接続処理を開始させ、
前記第１の通信手段による通信接続が確立するまでの間は、前記表示手段に表示されたＧＵＩに対するユーザからの指示を前記第２の通信手段を介して送信させ、
前記第１の通信手段による通信接続が確立した後は、前記表示手段に表示されたＧＵＩに対するユーザからの指示を前記第２の通信手段を介して送信するように制御する
ことを特徴とするプログラム。